(57)【要約】  【課題】  カラオケ装置が歌唱者が歌唱するステージ近辺に設置されていない状況下でも、他の利用者や従業員等に演奏中止の操作をお願いしたり、歌唱者自身がカラオケ装置本体にわざわざ出向いて操作を行う必要がなく、通常のマイクロホンの使用の中で、歌唱中の楽曲の演奏中止が必要と想定された際に、自動的に演奏を終了することができる自動演奏終了機能を有するカラオケ装置の提供を課題とする。  【解決手段】  人感センサーを付帯させてなるマイクロホンを利用し、演奏中の楽曲の演奏終了を制御するかラオケ装置であって、任意の楽曲が現在演奏中であるか否かを判別し、この演奏状態の判別にて当該楽曲が演奏中であると判別された場合に、人感センサーの検知機能を作動させるものであり、この人感センサーの検知に基づき、検知されている場合には演奏を継続させ、検知されなくなった場合には演奏を所定時間経過後に終了させることができる、自動演奏終了機能を有するカラオケ装置を構築した。【選択図】図１
2010107839.tif 000002
【特許請求の範囲】
【請求項１】
人感センサーを付帯させてなるマイクロホンを利用し、演奏中の楽曲の演奏終了を制御するカラオケ装置であって、楽曲演奏状態判別手段と、人感センサー作動手段と、演奏終了制御手段とを有し、
（ア）楽曲演奏状態判別手段とは、任意の楽曲が現在演奏中であるか否かを判別するものであり、
（イ）人感センサー作動手段とは、前記演奏状態の判別にて当該楽曲が演奏中であると判別された場合に、前記人感センサーの検知機能を作動させるものであり、
（ウ）演奏終了制御手段とは、前記人感センサーの検知に基づき、下記処理１および処理２の制御を行う、
処理１：検知されている場合には、前記演奏を継続させ、
処理２：検知されなくなった場合には、前記演奏を所定時間経過後に終了させる、
ことを特徴とする自動演奏終了機能を有するカラオケ装置。
【発明の詳細な説明】
【技術分野】
【０００１】
本発明は、マイクロホンに人感センサーを付帯させてなり、演奏中の楽曲を当該センサーをもって、自動的に演奏終了を制御し得るカラオケ装置に関する。
【背景技術】
【０００２】
カラオケボックスのパーティールームやカラオケ喫茶のような、一般的に大勢の利用者で楽曲の歌唱を楽しむ場合には、歌唱者である利用者は自身が座っている座席から予め歌唱者専用に設けられたステージに移動して歌唱することにより、自身の歌唱する姿を大勢の人に披露することが可能となる。このような施設では、カラオケ装置がステージ近辺に設置されているとは限らず、例えば、演奏中の楽曲を終了させたい場合には、歌唱者が操作をすることが困難であるため、他の利用者や店舗の従業員が行っている。すなわち、歌唱者が歌唱している途中で、歌唱レベルが自身の予想以上に難しいと感じたり、直前に歌唱した利用者と同じ楽曲を登録してしまったことに気づいた場合などでは、カラオケ装置に対して演奏中の楽曲を中止することもあり、このような場合、歌唱者が一々他の利用者や従業員等に、演奏中止の操作をお願しなければならない。このような問題に対して、特許文献１ではワイヤレスマイクの受信状態やワイヤードマイクのスイッチのＯＮ／ＯＦＦ状態により、演奏中の楽曲を自動的にフェードアウトさせ終了する技術が開示されている。また、特許文献２では、マイクロホン自体に設けられたリモートコントローラーを用いて、カラオケ装置に対して演奏開始、中断、再演奏等の制御を行うことにより利用者はわざわざカラオケ装置本体に行き操作を行う必要がなくなる技術が開示されている。
【特許文献１】特開２００７−５７８３８号公報
【特許文献２】特開平８−１２６０６９号公報
【発明の開示】
【発明が解決しようとする課題】
【０００３】
しかしながら、特許文献１および特許文献２によれば、共に歌唱者が他の利用者や従業員等に演奏中止の操作をお願いしたり、歌唱者自身がカラオケ装置本体にわざわざ出向いて操作を行う必要はなくなるものの、必ず歌唱者自身での人為的な操作が必要となる。すなわち、歌唱者は自分で操作を要求される訳で、例えば、歌唱者が操作を忘れてしまった場合、あるいは、歌唱者がある程度酒に酔っていたり、メカに疎かったりした場合では、その操作自体に困難性が生じ、演奏を中止したくとも、流れ続けてしまうこともある。
【０００４】
そこで、本発明は、カラオケ装置がステージ近辺に設置されていない状況下にて、歌唱者が操作を忘れてしまった場合、あるいは、歌唱者がある程度酒に酔っていたり、メカに疎かったりした場合でも、通常のマイクロホンの使用の中で、歌唱中の楽曲の演奏中止が必要と想定された際に、自動的に演奏を終了することのできるカラオケ装置の提供を課題とする。
【課題を解決するための手段】
【０００５】
上記課題を鑑み、本発明の自動演奏終了機能を有するカラオケ装置とは、人感センサーを付帯させてなるマイクロホンを利用し、演奏中の楽曲の演奏終了を制御するカラオケ装置であって、任意の楽曲が現在演奏中であるか否かを判別し、この演奏状態の判別にて当該楽曲が演奏中であると判別された場合に、人感センサーの検知機能を作動させるものであり、この人感センサーの検知に基づき、検知されている場合には演奏を継続させ、検知されなくなった場合には演奏を所定時間経過後に終了させることを特徴とし、この構成により上記課題を解決した。
【０００６】
すなわち、本発明の自動演奏終了機能を有するカラオケ装置とは、人感センサーを付帯させてなるマイクロホンを利用し、演奏中の楽曲の演奏終了を制御するカラオケ装置であって、楽曲演奏状態判別手段と、人感センサー作動手段と、演奏終了制御手段とを有し、
（ア）楽曲演奏状態判別手段とは、任意の楽曲が現在演奏中であるか否かを判別するものであり、
（イ）人感センサー作動手段とは、前記演奏状態の判別にて当該楽曲が演奏中であると判別された場合に、前記人感センサーの検知機能を作動させるものであり、
（ウ）演奏終了制御手段とは、前記人感センサーの検知に基づき、下記処理１および処理２の制御を行う、
処理１：検知されている場合には、前記演奏を継続させ、
処理２：検知されなくなった場合には、前記演奏を所定時間経過後に終了させる、
ことを特徴とする。
【発明の効果】
【０００７】
本発明の請求項１記載の自動演奏終了機能を有するカラオケ装置は、任意の楽曲が現在演奏中か否かを判別し、演奏中でありマイクロホンの人感センサーが歌唱者を検知した場合には、カラオケ装置は現在演奏中の楽曲の演奏を継続し、歌唱者が検知されなくなった場合には、カラオケ装置は現在演奏中の楽曲の演奏を所定時間経過後に終了する構成となっている。
【０００８】
したがって、本発明では、カラオケ装置がステージ近辺に設置されていない状況下にて、従来用いられている技術のように、歌唱者がマイクロホンのスイッチをＯＦＦするといった人為的な操作を必要とせず、例えば、歌唱レベルが自身の予想以上に難しいと感じたり、直前に歌唱した利用者と同じ楽曲を登録してしまったことに気づいた際、歌唱者が操作を忘れてしまった場合、あるいは、歌唱者がある程度酒に酔っていたり、メカに疎かったりした場合でも、通常のマイクロホンの使用の中で、自動的に演奏を終了することのできるといった効果も奏する。
【発明を実施するための最良の形態】
【０００９】
以下に、本発明のカラオケ装置について適切な実施例を挙げ、先ず、図１に示す「本発明の自動演奏終了機能を有するカラオケ装置のブロック構成図」について説明する。
【００１０】
図１は、本発明のカラオケ装置（１）の主要構成部のブロック構成図であり、具体的にはカラオケ装置（１）は中央制御手段（２）および各種機能手段などから構成されている。まず、中央制御手段（２）は、歌唱者である利用者が、リモコン装置やカラオケ装置本体の操作パネルを用いて楽曲の登録を行うと、ＨＤＤ（３）の楽曲ＤＢ（５）から当該登録楽曲の楽曲ＩＤを検索し、検索された楽曲ＩＤをＲＡＭ（４）の予約待ち行列管理テーブル（６）に順番に登録する。
【００１１】
そして、中央制御手段（２）が、予約待ち行列管理テーブル（６）に登録されている楽曲が演奏開始を制御すると、現在演奏中であるか否かを判別するための楽曲演奏状態判別手段（７）は、これを演奏中と判別し、判別された場合には、この楽曲演奏状態判別手段（７）は、さらに、人感センサー作動手段（８）に対して、マイクロホン（Ｍ）に付帯されている人感センサー（９）を作動させるように指令する。そして、演奏終了制御手段（１０）は、当該作動させた人感センサー（９）により、歌唱者が検知されている場合には、演奏中である楽曲を引き続き演奏し、何らかの事情で歌唱者が検知されなくなった場合には、所定時間経過後（好適には、誤って落とした場合を鑑み、５秒〜１０秒）演奏中の楽曲を終了させるように制御する。
【００１２】
次に、図２に示す「本発明におけるマイクロホンの外観図」に基づき、本発明をさらに詳述する。
【００１３】
図２は、本発明で使用するマイクロホンの外観図を示すものであり、本発明のマイクロホン（Ｍ）は、従来、通常に使用されている構成と同様に、風防（Ｍ１）とグリップ部（Ｍ２）ならびワイヤレス送受信部（Ｍ３）から構成されている。なお、本実施例は、Bluetoothのような近距離ワイヤレス通信を用いたマイクロホンを実施例としているが、当然のことながらワイヤレスマイクに限らず、予めマイクロホンに接続されているケーブルを直接外部機器に接続することにより音声を出力する、ワイヤードマイクを用いても構わない。さらに、本発明において特徴とされる如く、グリップ部（Ｍ２）には、例えば、感温式（握りによる体温検出）、感圧式（握りによる握力検出）、光学式（握りによる光の遮蔽を検出）などの人感センサー（Ｍ４）が設けられ、当該人感センサーにより歌唱者の検知を行う。なお、本実施例では、構造が簡単な感温式を採用している。また、人感センサーが検知した信号は、上記無線手段ないし有線手段を利用し、周波数帯を音声とは異ならせたり、同軸ケーブルを使用したりして、適宜、カラオケ装置本体に送られるものである。
【００１４】
次に、図３に示す「人感センサーの作動を時系列に示す図」を用いて、本発明のカラオケ装置における、人感センサー検知の有無と演奏終了処理の関係を時系列で説明する。
【００１５】
図３は、人感センサーの作動を時系列に示す図であり、人感センサーの作動状況および、当該人感センサー検知の有無と、歌唱者Ａおよび歌唱者Ｂがそれぞれ歌唱する楽曲Ａおよび楽曲Ｂの演奏状況との関係を時系列に示したものである。まず、カラオケ装置が歌唱者Ａが歌唱している楽曲Ａの演奏を行い、当該楽曲Ａの演奏の終始、マイクロホンの人感センサーは歌唱者Ａを検知していることを示している。そして、楽曲Ａの演奏終了後に人感センサーは作動を停止し、次の楽曲Ｂの演奏開始までは、楽曲が演奏されていない曲間時間であるために、人感センサーは停止のままで作動しない。これは、曲間時間には必ずしも歌唱者がマイクロホンに触れているとは限らず、歌唱者の意思を反映したものではなく、また、本発明が演奏終了を自動的に行うことを目的としている以上、演奏が行われていないにもかかわらず、作動すること自体が無駄となるからである。そして、曲間時間が経過し、楽曲Ｂの演奏が開始されると、再度、人感センサーは作動を開始して歌唱者Ｂの検知を行う。この演奏中に、何らかの事情により歌唱者Ｂが歌唱するのを中止してしまい、マイクロホンから手を離すと、そのマイクロホン付帯の人感センサーが非検知を識別し、それから所定時間（例えば７秒に設定）が経過すると、楽曲Ｂの演奏を自動的に終了させる。また、人感センサーは、演奏が終了すると同時に作動も停止され、その後は、上記と同様に曲間時間が終わるまで作動しないことになる。なお、歌唱の中止については、歌唱音声の入力の有無をもっても判断できるが、歌唱の中止が歌のフレーズ毎の困難性や歌い方を一時的に忘れて、歌唱に詰まった場合も考えられるので、マイクロホンを手放して歌唱を放棄するものとは異なり、これをもって自動終了させるには問題がある。
【００１６】
次に、図４に示す「人感センサー検知による演奏終了処理を示すフロー」を用いて、予約登録楽曲の演奏開始から、カラオケ装置がマイクロホンの人感センサーを作動させ歌唱者を検知し、演奏中の楽曲の演奏を終了するまでの処理のフローを詳述する。
【００１７】
まず、利用者がカラオケ装置に楽曲を登録した後、登録された楽曲が演奏開始されたかが判定され（Ｓ１）、演奏が開始された場合には、マイクロホンの人感センサーを作動させ（Ｓ２）、その演奏中に人感センサーにより歌唱者の検知の有無が判断され（Ｓ３）、非検知が無かった場合には、楽曲の演奏を継続した後、通常に演奏が終了する（Ｓ４）。そして、カラオケ装置が楽曲演奏を全て終了すると、人感センサーの作動が停止され（Ｓ５）、再び、新たな楽曲が演奏開始されているか否かの処理が開始される。
【００１８】
一方、人感センサーが歌唱者の検知の有無を判断（Ｓ３）し、非検知があった場合には、カラオケ装置はタイマーを起動し（Ｓ６）、タイマーは所定時間経過したかを判定し（Ｓ７）、所定時間経過した場合には演奏中の楽曲を自動的に終了させる（Ｓ８）。すなわち、カラオケ装置が楽曲演奏を全て終了していなくても楽曲を終了し、終了するとタイマーがクリア（９）され、その後、再び、新たな楽曲は演奏開始されているか否かの処理が開始される。
【００１９】
以上のように、本発明の自動演奏終了機能を有するカラオケ装置とは、マイクロホンに付帯されている人感センサーを利用することにより、歌唱者がマイクロホンのスイッチをＯＦＦするといった人為的な操作や他の利用者に演奏中止の操作をお願いするようなことがなく、通常のマイクロホンの使用の中で自動的に楽曲の演奏を終了することができる。
【図面の簡単な説明】
【００２０】
【図１】本発明の自動演奏終了機能を有するカラオケ装置のブロック構成図
【図２】本発明におけるマイクロホンの外観図
【図３】人感センサーの作動を時系列に示す図
【図４】人感センサー検知による演奏終了処理を示すフロー
【符号の説明】
【００２１】
１           カラオケ装置
２           ハードディスク
３           ＲＡＭ
７           楽曲演奏状態判別手段
８           人感センサー作動手段
９           人感センサー
１０         演奏終了制御手段
Ｍ           マイクロホン
【図２】
2010107839.tif 000003
【図４】
2010107839.tif 000004
【図１】
2010107839.tif 000005
【図３】
2010107839.tif 000006